(57)【要約】【課題】同居する候補となる人を紹介するサービスに利用できるユーザの生活習慣を示す生活情報を生成する。【解決手段】居住者情報提供システム１００は、住居１２０における電気、水道、ガスのうち、１つ以上の使用量を検出する検出装置（スマートメータ１１０、１１０Ａ、１１０Ｂ、１１０Ｃ）と、使用量に基づいて、住居１２０の居住者の生活行動を推定する行動推定部と、生活行動に基づいて、同居する候補となる人を紹介するサービスに用いられる、住居１２０の居住者の生活習慣を示す生活情報を生成する情報生成部と、生活情報を出力する出力部と、を備える。【選択図】図１
2019191848.tif 000002
【特許請求の範囲】
【請求項１】
住居における電気、水道、ガスのうち、１つ以上の使用量を検出する検出装置と、
前記使用量に基づいて、前記住居の居住者の生活行動を推定する行動推定部と、
前記生活行動に基づいて、同居する候補となる人を紹介するサービスに用いられる、前記住居の居住者の生活習慣を示す生活情報を生成する情報生成部と、
前記生活情報を出力する出力部と、
を備える居住者情報提供システム。
【請求項２】
前記行動推定部は、前記生活行動として、洗面および入浴の一方または双方を推定し、
前記情報生成部は、前記洗面および入浴の一方または双方における前記使用量を、前記生活情報に反映する請求項１に記載の居住者情報提供システム。
【請求項３】
前記行動推定部は、前記生活行動として、自炊を行っているか否か推定し、
前記情報生成部は、前記自炊の頻度を、前記生活情報に反映する請求項１または２に記載の居住者情報提供システム。
【請求項４】
前記行動推定部は、前記生活行動として、睡眠を推定し、
前記情報生成部は、前記睡眠中における前記使用量を、前記生活情報に反映する請求項１から３のいずれか１項に記載の居住者情報提供システム。
【請求項５】
前記行動推定部は、前記生活行動として、睡眠を推定し、
前記情報生成部は、就寝開始時間および起床時間を推定し、前記生活情報に反映する請求項１から４のいずれか１項に記載の居住者情報提供システム。
【発明の詳細な説明】
【技術分野】
【０００１】
本発明は、居住者に関する情報を提供する居住者情報提供システムに関する。
【背景技術】
【０００２】
近年、婚活支援サービスを行うビジネスが普及しており、婚活支援サービスに利用可能な種々の技術が開発されている。例えば、スマートフォンなどの携帯端末を用いて異性との通話を行わせ、通話相手に適した話題項目を表示部上に提示することで、会話を促進するといった技術が開示されている（例えば、特許文献１）。
【先行技術文献】
【特許文献】
【０００３】
【特許文献１】特許第６２０６８９０号公報
【発明の概要】
【発明が解決しようとする課題】
【０００４】
上記のように、婚活支援サービスで知り合った相手と同居に至った場合、例えば、生活リズムが互いにずれていたり、節約に関する考え方が異なったりするなど、知り合ったときには解らなかった互いの生活習慣の違いが問題となることがある。また、婚活に限らず、シェアハウスなど、複数人での同居を行う場合にも、同様のことがいえる。
【０００５】
本発明は、このような課題に鑑み、同居する候補となる人を紹介するサービスに利用できるユーザの生活習慣を示す生活情報を生成することが可能な居住者情報提供システムを提供することを目的としている。
【課題を解決するための手段】
【０００６】
上記課題を解決するために、本発明の居住者情報提供システムは、住居における電気、水道、ガスのうち、１つ以上の使用量を検出する検出装置と、使用量に基づいて、住居の居住者の生活行動を推定する行動推定部と、生活行動に基づいて、同居する候補となる人を紹介するサービスに用いられる、住居の居住者の生活習慣を示す生活情報を生成する情報生成部と、生活情報を出力する出力部と、を備える。
【０００７】
行動推定部は、生活行動として、洗面および入浴の一方または双方を推定し、情報生成部は、洗面および入浴の一方または双方における使用量を、生活情報に反映してもよい。
【０００８】
行動推定部は、生活行動として、自炊を行っているか否か推定し、情報生成部は、自炊の頻度を、生活情報に反映してもよい。
【０００９】
行動推定部は、生活行動として、睡眠を推定し、情報生成部は、睡眠中における使用量を、生活情報に反映してもよい。
【００１０】
行動推定部は、生活行動として、睡眠を推定し、情報生成部は、就寝開始時間および起床時間を推定し、生活情報に反映してもよい。
【発明の効果】
【００１１】
本発明によれば、同居する候補となる人を紹介するサービスに利用できるユーザの生活習慣を示す生活情報を生成することが可能となる。
【図面の簡単な説明】
【００１２】
【図１】居住者情報提供システムの概略的な構成を示した説明図である。
【図２】スマートメータの概略的な構成を示した機能ブロック図である。
【図３】サーバの概略的な構成を示した機能ブロック図である。
【図４】行動推定部の処理を説明するための図である。
【図５】情報生成部の処理を説明するための図である。
【図６】居住者情報提供処理の流れを示すフローチャートである。
【発明を実施するための形態】
【００１３】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１４】
（居住者情報提供システム１００）
図１は、居住者情報提供システム１００の概略的な構成を示した説明図である。図１に示すように、居住者情報提供システム１００は、複数のスマートメータ（検出装置）１１０と、複数のゲートウェイ機器１１２と、サーバ１１４と、基地局１１６とを含んで構成される。
【００１５】
スマートメータ１１０は、住居１２０に設けられ、住居１２０に供給された電気、水道、ガスの使用量を導出する。図１では、１つの住居１２０に設けられたスマートメータ１１０のみを示すが、スマートメータ１１０は、複数の住居１２０それぞれに設けられる。
【００１６】
例えば、住居１２０ごとに３つのスマートメータ１１０Ａ、１１０Ｂ、１１０Ｃが設けられる。スマートメータ１１０Ａは、電気の使用量を検出する。スマートメータ１１０Ｂは、ガスの使用量を検出する。スマートメータ１１０Ｃは、水道の使用量を検出する。以下、３つのスマートメータ１１０Ａ、１１０Ｂ、１１０Ｃを区別する必要がない場合、スマートメータ１１０と称する。
【００１７】
ここでは、電気、ガス、水道の使用量を検出するメータがそれぞれ設けられる場合について説明した。ただし、１つのスマートメータ１１０が、電気、ガス、水道のうち、２つ以上の使用量を検出してもよい。
【００１８】
ゲートウェイ機器１１２は、１または複数のスマートメータ１１０のデータを収集する。サーバ１１４は、コンピュータ等で構成され、居住者情報提供システム１００の管理者側に属する。また、サーバ１１４は、ゲートウェイ機器１１２を介して、１または複数のスマートメータ１１０のデータを収集する。したがって、住居１２０に配置されるスマートメータ１１０が有する情報を、サーバ１１４で一括管理することができる。
【００１９】
ここで、ゲートウェイ機器１１２とサーバ１１４との間は、例えば、基地局１１６を含む携帯電話網やＰＨＳ（Personal Handyphone System）網等の既存の通信網を通じた無線通信が実行される。また、スマートメータ１１０同士およびスマートメータ１１０とゲートウェイ機器１１２との間は、例えば、９２０ＭＨｚ帯を利用するスマートメータ用無線システム（Ｕ−Ｂｕｓ  Ａｉｒ）を通じた無線通信が実行される。また、通信規格ＩＥＥＥ８０２．１５．４／４ｅに準拠するＲＩＴ（Receiver Initiated Transmission）方式を通じた無線通信が行われてもよい。
【００２０】
（スマートメータ１１０）
図２は、スマートメータ１１０の概略的な構成を示した機能ブロック図である。スマートメータ１１０は、センサ１５０と、メータ通信部１５２と、メータ記憶部１５４と、メータ制御部１５６とを含んで構成される。
【００２１】
センサ１５０は、測定対象の使用量を導出するための測定値を出力する。例えば、スマートメータ１１０Ａのセンサ１５０は、電気の使用量を導出するための測定値を出力する。スマートメータ１１０Ｂのセンサ１５０は、ガスの使用量を導出するための測定値を出力する。スマートメータ１１０Ｃのセンサ１５０は、水道の使用量を導出するための測定値を出力する。
【００２２】
メータ通信部１５２は、ゲートウェイ機器１１２や他のスマートメータ１１０を介して、サーバ１１４との通信を行う。メータ記憶部１５４は、ＲＯＭ、ＲＡＭ、フラッシュメモリ、ＨＤＤ等で構成され、スマートメータ１１０に用いられるプログラムや各種データを記憶する。
【００２３】
メータ制御部１５６は、ＣＰＵ（Central Processing Unit）やＤＳＰ（Digital Signal Processor）で構成され、メータ記憶部１５４に格納されたプログラムを用い、スマートメータ１１０全体を制御する。また、メータ制御部１５６は、導出部１７０、通信制御部１７２として機能する。
【００２４】
導出部１７０は、センサ１５０から出力された測定値に基づいて、測定対象の使用量を導出する。導出部１７０は、導出した測定対象の使用量をメータ記憶部１５４に記憶させる。例えば、スマートメータ１１０Ａの導出部１７０は、電気の使用量を導出する。スマートメータ１１０Ｂの導出部１７０は、ガスの使用量を導出する。スマートメータ１１０Ｃの導出部１７０は、水道の使用量を導出する。
【００２５】
導出部１７０は、例えば、予め設定された所定時間（１分、３０分、１時間など）ごとに使用された測定対象の使用量を導出する。また、スマートメータ１１０Ａ、１１０Ｂ、１１０Ｃごとに、所定時間が異なっていてもよい。例えば、スマートメータ１１０Ａでは、消費電力の１分値が導出される。
【００２６】
ここで、１分値は、例えば、１分ごとに測定されるワット（Ｗ）の瞬時値に１時間を乗算したワットアワー（ｗｈ）でもよい。１分値は、ワットの瞬時値を１分間分、時間積分した値であってもよい。１分値は、これらの値を１分当たりの消費電力に換算した値でもよい。
【００２７】
通信制御部１７２は、メータ通信部１５２を制御し、導出部１７０が導出した測定対象の使用量をサーバ１１４へ送信させる。通信制御部１７２は、例えば、測定対象の使用量が新たにメータ記憶部１５４に記憶される度に、測定対象の使用量をサーバ１１４に送信させてもよい。また、通信制御部１７２は、所定周期ごとに、メータ記憶部１５４から測定対象の使用量を読み出して、サーバ１１４に送信させてもよい。
【００２８】
（サーバ１１４）
図３は、サーバ１１４の概略的な構成を示した機能ブロック図である。図３に示すように、サーバ１１４は、サーバ通信部１８０と、サーバ記憶部１８２と、サーバ制御部１８４とを含んで構成される。サーバ通信部１８０は、基地局１１６、ゲートウェイ機器１１２を介してスマートメータ１１０との通信を行う。サーバ記憶部１８２は、ＲＯＭ、ＲＡＭ、フラッシュメモリ、ＨＤＤ等で構成され、スマートメータ１１０から受信した、電気、ガス、水道の使用量を記憶する。
【００２９】
サーバ制御部１８４は、ＣＰＵやＤＳＰで構成され、サーバ記憶部１８２に記憶された情報に基づいてサーバ１１４全体を制御する。また、サーバ制御部１８４は、通信制御部１９０、行動推定部１９２、情報生成部１９４、出力部１９６として機能する。
【００３０】
通信制御部１９０は、サーバ通信部１８０を制御し、スマートメータ１１０Ａ、１１０Ｂ、１１０Ｃそれぞれから送信された測定対象の使用量を受信させる。受信された電気、ガス、水道の使用量には、住居１２０の識別情報が付与されており、通信制御部１９０は、サーバ記憶部１８２に記憶された同一の住居１２０の識別情報に関連付けて、電気、ガス、水道の使用量をサーバ記憶部１８２に記憶させる。
【００３１】
また、住居１２０には、室温センサ１２２が設けられる。室温センサ１２２は、空調設備に備え付けられてもよい。室温センサ１２２によって住居１２０内の室温が検出される。検出された室温データは、例えば、スマートメータ１１０に出力され、電気、ガス、水道の使用量と共にサーバ１１４に送信されて、サーバ記憶部１８２に記憶された同一の住居１２０の識別情報に関連付けて、電気、ガス、水道の使用量をサーバ記憶部１８２に記憶される。ここで、空調設備は、例えば、エアコン、床暖房、ファンヒータなどが挙げられる。
【００３２】
行動推定部１９２は、サーバ記憶部１８２に記憶された電気、ガス、水道の使用量に基づいて、居住者の所定の生活行動を推定する。
【００３３】
図４は、行動推定部１９２の処理を説明するための図である。図４のうちの一番左側の列に示すように、生活行動としては、例えば、睡眠、起床、洗面、排泄（小）、朝食（自炊）、排泄（大）、外出準備、外出、不在、帰宅、夕食（自炊）、くつろぎ、掃除機、洗濯、入浴、就寝準備が挙げられる。行動推定部１９２は、生活行動としてこれらを推定する。
【００３４】
図４において、生活行動を行っても、電気、ガス、水道の使用量がない（０である）場合、「×」となる。対象の使用量が安定的（大凡一定）な場合、「◎」となる。対象の使用量の安定性は、安定性が高い順に「◎」>「〇」>「●」>「◆」となっている。「〇」は、個人差はあるが日々の使用量がある程度は安定している。「●」は、個人差と季節変動（例えば、水温や外気温）の影響を受け、使用量がやや不安定である。「◆」は、個人差も日々の変動の影響も受け、使用量が不安定である。
【００３５】
例えば、睡眠を行っても、電気、ガス、水道の使用量がない（例えば、待機電力の使用などがある場合もあるが、睡眠によっては、電気、ガス、水道の使用量が変動しない）。行動推定部１９２は、電気、ガス、水道の使用量がないことから、生活行動として、睡眠を推定する。
【００３６】
また、行動推定部１９２は、使用量が不安定な生活行動であっても、ディスアグリケーションによる分析や、実行された時刻などの周辺情報を加味して、生活行動を推定する。ここで、ディスアグリケーションは、例えば、電気であれば、電流波形を測定、分析することで、各機器の電力使用量を推定する技術である。
【００３７】
また、図４に示すように、生活行動ごとに、時間帯、（継続）時間、回数（頻度）、使用量、室温などが分析される。これらの分析結果から、図４に示す特徴の分析例のようなことが推定される。例えば、睡眠について、時間帯が早いまたは遅い、時間が短いまたは長い、回数が少ないまたは多い、室温が低いまたは高いといった特性に基づいて、早寝早起きか否か、睡眠時間が短いか長いか、起床時間帯が毎日同じか、寒がりか暑がりかなどが推定される。
【００３８】
情報生成部１９４は、行動推定部１９２によって推定された生活行動に基づいて生活情報を生成する。生活情報は、住居１２０の居住者の生活習慣（性格、価値観、生活志向、特質）を示す情報である。生活情報は、同居する候補となる人を紹介する紹介サービス（例えば、婚活支援サービス、シェアハウスの同居人マッチングサービスなど）に用いられる。
【００３９】
図５は、情報生成部１９４の処理を説明するための図である。図５のうちの一番上側の行に示すように、生活習慣としては、金銭感覚、インドア／アウトドア、朝型／夜型、寒がり／暑がり、自炊／外食などが挙げられる。情報生成部１９４は、生活情報として、住居１２０の居住者の生活習慣を示す情報を生成する。
【００４０】
例えば、情報生成部１９４は、洗面および入浴の行為中における電気、ガス、水道の使用量から、金銭感覚が節約志向か否かを推定し、生活情報に反映させる。金銭感覚については、例えば、節約志向寄りか浪費傾向にあるかが数値化されてもよい。
【００４１】
このように、洗面や入浴を分析することで、住居１２０の居住者の金銭感覚についての生活情報を、上記の紹介サービスに提供することが可能となる。
【００４２】
また、情報生成部１９４は、朝食、夕食などの自炊の頻度を特定する。情報生成部１９４は、自炊の頻度から自炊派か外食派かを推定し、生活情報に反映させる。自炊派か外食派かについては、例えば、自炊派寄りか外食派寄りかが数値化されてもよい。
【００４３】
このように、自炊の頻度を分析することで、住居１２０の居住者が自炊派か外食派かについての生活情報を、上記の紹介サービスに提供することが可能となる。
【００４４】
また、情報生成部１９４は、睡眠中における電気の使用量から、金銭感覚、寒がり／暑がりといった生活習慣を推定する。情報生成部１９４は、これらの推定結果を生活情報に反映させる。寒がり／暑がりについては、例えば、寒がり寄りか暑がり寄りかが数値化されてもよい。
【００４５】
このように、睡眠中における電気の使用量を分析することで、住居１２０の居住者の金銭感覚、寒がり／暑がりについての生活情報を、上記の紹介サービスに提供することが可能となる。
【００４６】
また、情報生成部１９４は、就寝開始時間および起床時間を推定し、朝型／夜型を推定する。情報生成部１９４は、推定結果を生活情報に反映させる。朝型／夜型については、例えば、朝型寄りか夜型寄りかが数値化されてもよい。
【００４７】
このように、就寝開始時間および起床時間を推定、分析することで、住居１２０の居住者の朝型／夜型についての生活情報を、上記の紹介サービスに提供することが可能となる。
【００４８】
図３に戻って、情報生成部１９４は、上記の生成した生活情報を、住居１２０の識別情報に関連付けてサーバ記憶部１８２に記憶させる。出力部１９６は、例えば、オペレータの操作入力に応じ、サーバ記憶部１８２から指定された識別情報に関連付けられた生活情報を読み出す。出力部１９６は、例えば、読み出した生活情報を、通信制御部１９０（サーバ通信部１８０）を介して、通信網上の上記の紹介サービスを提供する事業者のサーバに送信する。また、出力部１９６は、例えば、読み出した生活情報を外部記憶媒体に出力（書き込み）してもよい。
【００４９】
図６は、居住者情報提供処理の流れを示すフローチャートである。
【００５０】
（Ｓ３００）
行動推定部１９２は、サーバ記憶部１８２に蓄積された、スマートメータ１１０から送信された過去の所定期間の電気、ガス、水道の使用量を読み出す。
【００５１】
（Ｓ３０２）
行動推定部１９２は、読み出した電気、ガス、水道の使用量に基づいて、住居１２０の居住者の生活行動を推定する。
【００５２】
（Ｓ３０４）
情報生成部１９４は、行動推定部１９２によって推定された生活行動に基づいて生活情報を生成する。情報生成部１９４は、生成した生活情報をサーバ記憶部１８２に記憶させる。
【００５３】
（Ｓ３０６）
出力部１９６は、オペレータの操作入力に応じ、指定された識別情報に関連付けられた生活情報を、サーバ記憶部１８２から読み出し、通信網上の上記の紹介サービスを提供する事業者のサーバに送信する。
【００５４】
上記のように、居住者情報提供システム１００では、住居１２０の居住者の生活習慣を示す生活情報が生成され、紹介サービスを提供する事業者に提供される。事業者側では、例えば、生活情報に基づいて、生活習慣が似通った人など、生活習慣から同居の相性がよい人同士を紹介するといった作業が行われる。
【００５５】
以上、添付図面を参照しながら本発明の好適な実施形態について説明したが、本発明はかかる実施形態に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００５６】
例えば、上述した実施形態では、住居１２０における電気、水道、ガスの使用量がスマートメータ１１０によって検出される場合について説明した。しかし、スマートメータ１１０は、少なくとも電気、水道、ガスの１つ以上の使用量を検出すればよい。情報生成部１９４は、少なくとも電気、水道、ガスの１つ以上の使用量に基づいて、在不在情報を生成すればよい。
【００５７】
また、上述した実施形態では、検出装置としてスマートメータ１１０を例に挙げて説明したが、住居１２０における電気、水道、ガスのうち、１つ以上の使用量を検出できれば、他の装置が用いられてもよい。
【００５８】
また、上述した実施形態では、行動推定部１９２は、生活行動として、洗面および入浴の双方を推定する場合について説明した。しかし、行動推定部１９２は、洗面および入浴の一方のみを推定してもよい。行動推定部１９２は、洗面および入浴を推定せずともよい。情報生成部１９４は、洗面および入浴の行為中における使用量を、生活情報に反映しなくてもよい。
【００５９】
また、上述した実施形態では、行動推定部１９２は、生活行動として、自炊を行っているか否か推定し、情報生成部１９４は、自炊の頻度を、生活情報に反映する場合について説明した。しかし、行動推定部１９２は、生活行動として、自炊を行っているか否か推定せず、情報生成部１９４は、自炊の頻度を、生活情報に反映しなくてもよい。
【００６０】
また、上述した実施形態では、行動推定部１９２は、生活行動として、睡眠を推定する場合について説明した。しかし、行動推定部１９２は、生活行動として、睡眠を推定しなくてもよい。
【００６１】
また、上述した実施形態では、情報生成部１９４は、睡眠中における使用量を、生活情報に反映する場合について説明した。しかし、情報生成部１９４は、睡眠中における使用量を、生活情報に反映しなくてもよい。
【００６２】
また、上述した実施形態では、情報生成部１９４は、就寝開始時間および起床時間を推定し、生活情報に反映する場合について説明した。しかし、情報生成部１９４は、就寝開始時間および起床時間を推定し、生活情報に反映しなくてもよい。
【００６３】
また、上述した実施形態では、室温センサ１２２が設けられる場合について説明した。しかし、室温センサ１２２は必須の構成ではない。例えば、行動推定部１９２は、電気の使用量からエアコンの使用を推定してもよい。行動推定部１９２は、エアコンの使用が推定された季節が夏季である場合、冷房機能が使用されたと判定する。行動推定部１９２は、例えば、エアコンの使用が推定された季節が冬季である場合、暖房機能が使用されたと判定する。行動推定部１９２は、電気の使用量からエアコンの使用を推定すると、その出力から室温が高いか低いかを推定する。また、行動推定部１９２は、ガスの使用量から床暖房の使用、および、室温が高いか低いかを推定してもよい。また、行動推定部１９２は、電気の使用量からファンヒータの使用、および、室温が高いか低いかを推定してもよい。
【００６４】
また、上述した実施形態では、生活行動ごとに、室温が分析される場合について説明した。しかし、室温の分析は必須の処理ではない。すなわち、室温センサ１２２も行動推定部１９２による空調設備の使用の推定処理も必須ではない。
【００６５】
また、住居１２０における電気、水道、ガスのうち、１つ以上の使用量を検出し、使用量に基づいて、居住者の生活行動を推定し、生活行動に基づいて、同居する候補となる人を紹介する紹介サービスに用いられる、住居１２０の居住者の生活習慣を示す生活情報を生成し、生活情報を出力する居住者情報提供方法も提供される。
【００６６】
また、コンピュータをスマートメータ１１０、行動推定部１９２、情報生成部１９４、出力部１９６などとして機能させるプログラムや、当該プログラムを記録した、コンピュータで読み取り可能なフレキシブルディスク、光磁気ディスク、ＲＯＭ、ＣＤ、ＤＶＤ、ＢＤ等の記憶媒体も提供される。ここで、プログラムは、任意の言語や記述方法にて記述されたデータ処理手段をいう。
【産業上の利用可能性】
【００６７】
本発明は、居住者に関する情報を提供する居住者情報提供システムに利用することができる。
【符号の説明】
【００６８】
１００  居住者情報提供システム
１１０、１１０Ａ、１１０Ｂ、１１０Ｃ  スマートメータ（検出装置）
１２０  住居
１９２  行動推定部
１９４  情報生成部
１９６  出力部
【図１】
2019191848.tif 000003
【図２】
2019191848.tif 000004
【図３】
2019191848.tif 000005
【図４】
2019191848.tif 000006
【図５】
2019191848.tif 000007
【図６】
2019191848.tif 000008